(57)【要約】【課題】  走行クラッチ切り時のエンジン高速回転にもとづいて燃費効率が低下するという問題を解消できるだけでなく、作業中断や作業再開におけるエンジンコントロールレバーの操作を不要にし、操作負担の軽減や作業効率の向上を図る。【解決手段】  エンジンの動力で走行する機体と、機体から延出するハンドルと、ハンドルの把持部の操作と共に把持操作することにより走行クラッチを入りにし、手を放す非把持操作することにより走行クラッチを切りにするデッドマン式走行クラッチレバーと、該走行クラッチレバーの把持操作に連動してエンジンを設定作業回転にすると共に、該走行クラッチレバーの切り操作に応じて、エンジンの回転を低速回転にし、該走行クラッチレバーを把持操作した時のエンジン設定回転を変更するエンジン作業回転変更手段とを備える。【選択図】図５
2013043457.tif 000002
【特許請求の範囲】
【請求項１】
エンジンの動力で走行する機体と、機体から延出するハンドルと、ハンドルの把持部の操作と共に把持操作することにより走行クラッチを入りにし、手を放す非把持操作することにより走行クラッチを切りにするデッドマン式走行クラッチレバーと、該走行クラッチレバーの把持操作に連動してエンジンを設定作業回転にすると共に、該走行クラッチレバーの切り操作に応じて、エンジンの回転を低速回転にし、該走行クラッチレバーを把持操作した時のエンジン設定回転を変更するエンジン作業回転変更手段とを備えることを特徴とする歩行型管理機。
【請求項２】
エンジン作業回転変更手段は、ハンドルのデッドマン式走行クラッチレバー近傍部位に取り付け、該クラッチレバーの非把持操作位置から把持操作位置までの操作量を変更可能なストッパーで構成したことを特徴とする請求項１記載の歩行型管理機。
【請求項３】
前記ストッパーはハンドルに勘合回動自在で構成され外周部に複数の高さが異なる突起を有する回動体で構成し、該ストッパーを回動して選択した突起が、該クラッチレバーの把持操作時に、該クラッチレバーに当接してエンジンの設定回転の変更を規制したことを特徴とする請求項１又は２記載の歩行型管理機。
【発明の詳細な説明】
【技術分野】
【０００１】
本発明は、デッドマン式走行クラッチレバーを備えた歩行型管理機に関する。
【背景技術】
【０００２】
デッドマン式走行クラッチレバーを備えた歩行型管理機が知られている（例えば、特許文献１参照）。デッドマン式走行クラッチレバーは、ハンドルの把持部に沿って設けられ、ハンドルと一緒に握られることにより走行クラッチを入りにし、手を放すことにより走行クラッチを切りにするように構成されている。したがって、オペレータは、デッドマン式走行クラッチレバーから手を離すだけで、作業を容易に中断できるだけでなく、デッドマン式走行クラッチレバーを再度握ることにより、作業を容易に再開することができる。
【先行技術文献】
【特許文献】
【０００３】
【特許文献１】特開２００８−２３８８５２号公報
【発明の概要】
【発明が解決しようとする課題】
【０００４】
しかしながら、従来の歩行型管理機では、デッドマン式走行クラッチレバーの切り操作に応じて、走行クラッチが切れた状態でも、エンジン回転は高速回転状態を維持するので、燃費効率が悪くなるという問題があった。このような問題は、デッドマン式走行クラッチレバーの切り操作毎に、エンジンコントロールレバーを低速回転側に操作することにより回避されるが、作業再開時にエンジンコントロールレバーを再び高速回転側に操作しなければならないので、オペレータの操作負担が増加するだけでなく、作業効率が低下するという問題があった。
【課題を解決するための手段】
【０００５】
本発明は、上記の如き実情に鑑みこれらの課題を解決することを目的として創作されたものであって、エンジンの動力で走行する機体と、機体から延出するハンドルと、ハンドルの把持部の操作と共に把持操作することにより走行クラッチを入りにし、手を放す非把持操作することにより走行クラッチを切りにするデッドマン式走行クラッチレバーと、該走行クラッチレバーの把持操作に連動してエンジンを設定作業回転にすると共に、該走行クラッチレバーの切り操作に応じて、エンジンの回転を低速回転にし、該走行クラッチレバーを把持操作した時のエンジン設定回転を変更するエンジン作業回転変更手段とを備えることを特徴とする。
また、エンジン作業回転変更手段は、ハンドルのデッドマン式走行クラッチレバー近傍部位に取り付け、該クラッチレバーの非把持操作位置から把持操作位置までの操作量を変更可能なストッパーで構成したことを特徴とする。
また、前記ストッパーはハンドルに勘合回動自在で構成され外周部に複数の高さが異なる突起を有する回動体で構成し、該ストッパーを回動して選択した突起が、該クラッチレバーの把持操作時に、該クラッチレバーに当接してエンジンの設定回転の変更を規制したことを特徴とする。
【発明の効果】
【０００６】
請求項１の発明によれば、エンジンの動力で走行する機体と、機体から延出するハンドルと、ハンドルの把持部の操作と共に把持操作することにより走行クラッチを入りにし、手を放す非把持操作することにより走行クラッチを切りにするデッドマン式走行クラッチレバーと、該走行クラッチレバーの把持操作に連動してエンジンを設定作業回転にすると共に、該走行クラッチレバーの切り操作に応じて、エンジンの回転を低速回転にし、該走行クラッチレバーを把持操作した時のエンジン設定回転を変更するエンジン作業回転変更手段とを備えるので、走行クラッチ切り時のエンジン高速回転にもとづいて燃費効率が低下するという問題を解消できるだけでなく、作業中断や作業再開におけるエンジンコントロールレバーの操作を不要にし、操作負担の軽減や作業効率の向上を図ることができ、また、クラッチレバーの把持操作した時のエンジン設定回転を更なる燃費効率を向上させることができる。
また、請求項２の発明によれば、エンジン作業回転変更手段は、ハンドルのデッドマン式走行クラッチレバー近傍部位に取り付け、該クラッチレバーの非把持操作位置から把持操作位置までの操作量を変更可能なストッパーで構成したので、ストッパーの構成をあまり考慮することなく構造を簡単にすることができる。
また、請求項３の発明によれば、前記ストッパーはハンドルに勘合回動自在で構成され外周部に複数の高さが異なる突起を有する回動体で構成し、該ストッパーを回動して選択した突起が、該クラッチレバーの把持操作時に、該クラッチレバーに当接してエンジンの設定回転の変更を規制したので、ストッパー構造の簡素化を図ることができ、エンジン回転の調節を容易に行うことができ、ストッパーを勘合支持で回動自在に構成したことにより一層構造が簡単で、クラッチレバー操作接当時の操作フィーリングを向上させることができる。
【図面の簡単な説明】
【０００７】
【図１】本発明の実施形態に係る歩行型管理機の斜視図である。
【図２】本発明の実施形態に係る歩行型管理機の平面図である。
【図３】本発明の実施形態に係るデッドマン式走行クラッチレバーの操作状態を示す側面図である。
【図４】本発明の実施形態に係る歩行型管理機のエンジン回転連繋手段と調速レバーとの連繋構造を示す側面図である。
【図５】本発明の実施形態に係るハンドル把持部の外周に設けられたエンジン回転数変更手段を示す断面図である。
【発明を実施するための形態】
【０００８】
以下、本発明の実施の形態について、図面に基づいて説明する。図１、図２において、１は本発明に係わるデッドマン式走行クラッチレバー１０を備えた管理機を示し、該管理機１は、機体前部にガスを燃料として動作するガスエンジン２を搭載し、ガスエンジン２にガスを供給するガス供給ボンベ３と、ミッションケース４の下端部から左右側方に延出し、ガスエンジン２の動力で回転駆動される車軸５と、車軸５に複数設けられる耕耘爪７と、機体後部から後ろ上方に延出するハンドルフレーム８と、ハンドルフレーム８の先端部に設けられるハンドル９とを備え、ハンドル９の左側にはクラッチレバー１０を取り付け、該クラッチレバー１０を上方から押圧するように握り操作することによりワイヤ１０ａを介し、機側に設けた在来の機構からなるベルトクラッチ方式の走行クラッチ装置の動力を伝達状態となし、エンジン２から伝動ケース６内を経て耕耘爪７を回転伝動するようにしている。
【０００９】
図２及び図３に示すように、デッドマン式走行クラッチレバー１０は、ハンドル９の把持部９ａに沿って設けられ、ハンドル９と略同時に握ることにより走行クラッチを入りにし、手を放すことにより走行クラッチを切りにするように構成されている。詳しくは、本実施形態の走行クラッチレバー１０は、ハンドル９の把持部９ａの外周に沿うように断面冂状に形成されており、その基端部がレバー支軸１０ｂを介してハンドル９に上下回動自在に支持されると共に、ワイヤ１０ａを介して走行クラッチに連繋されている。そして、非把持状態のデッドマン式走行クラッチレバー１０は、ワイヤ１０ａを介して伝達される走行クラッチの切り位置復帰力（又はデッドマン式走行クラッチレバー１０に連繋される切り位置復帰スプリングの付勢力）により、ハンドル９に対して約６０°立ち上がった姿勢を維持しており、この状態では走行クラッチが切りとなる。
また、デッドマン式走行クラッチレバー１０を下方に倒してハンドル９の把持部９ａと略同時に握ると、ワイヤ１０ａを介して走行クラッチが入り操作され、機体が走行を開始する。また、走行状態でハンドル９の把持部９ａから手を放すと、デッドマン式走行クラッチレバー１０が立ち上がり姿勢に自動的に戻り、機体の走行が停止する。
【００１０】
図１、図２に示すように、エンジン起動・停止スイッチ１１は、ハンドル９の右側に設けられている。また、デッドマン式走行クラッチレバー１０からは、ワイヤ１０ａとは別にワイヤ１０ｃ（アウタワイヤ１０ｃ１とインナワイヤ１０ｃ２）を介してエンジン２の調速レバー（ガバナレバー）１５に連繋している。また、エンジン２の回転数の調整は、デッドマン式走行クラッチレバー１０の回動操作に連動するようになっている。即ち、図４に示す状態にあっては、ガバナレバー１５の先端１５ａがエンジン２回転を低速回転にするストッパボルトＬＢに接当した状態で、エンジン７回転を低速（アイドリング）状態にすることができる。また、ガバナレバー１５の先端１５ａを図４で示す状態から反時計方向Ｈに回転させて、ガバナレバー１５の先端１５ａがエンジン２回転を高速回転にするストッパボルトＨＢに接当させることで、エンジン回転を高速回転にすることができる。
尚、低速、高速のそれぞれのストッパボルトは螺子式になっており任意に調節できるようになっている。
また、ガバナレバー１５は、常時は戻しスプリングＳによって、エンジン回転を低速側へ付勢させることで、クラッチレバー１０の把持操作が解除されのに伴い、自動的に、エンジン回転を低速にすることを可能としている。
【００１１】
従って、本発明の実施形態に係る歩行型管理機１は、デッドマン式走行クラッチレバー１０の切り操作に応じて、エンジン回転を低速回転（アイドリング回転）にする一方、デッドマン式走行クラッチレバー１０の入り操作に応じて、エンジン回転を設定回転に復帰させている。そのエンジン回転の調整については、図５に示すように、ハンドル９の把持部９ａの外周に、予め、クラッチレバー１０のハンドル９の把持部９ａに対する把持量を調節出来るように、突起付のストッパーＳが勘合回動自在に構成されている。該突起付のストッパーＳは、ハンドル９把持部９ａ中心から突出量が異なる複数のストッパー部を有して構成されているため、例えば、エンジン回転を高速回転時のストッパー部ＳＨ、エンジン回転を中速回転時のストッパー部ＳＭ、エンジン回転を低速回転時のストッパー部ＳＬのそれぞれのストッパー部Ｓをクラッチレバー１０下面に接当するようにしている。それにより、エンジン回転をさまざまな作業形態、例えば、寒冷地でエンジンの始動や始動後の持続が困難な場面で使用する場合においては、比較的、高速回転が望ましく、予め突起付のストッパーＳを回転させてストッパー部のＳＨ部をクラッチレバー１０下面にしておくことで、クラッチが入った状態、即ち、クラッチレバー１０をハンドル９と略同時に把持した状態にあっては、エンジン回転を高速回転とすることができ、また、クラッチレバーから手を放した状態、即ち、非把持状態とすることでエンジン回転を低速（アイドル）状態に出来るので、走行クラッチ切り時のエンジン高速回転にもとづいて燃費効率が低下するという問題を解消することができる。
【００１２】
叙述の如く構成された本実施形態によれば、エンジン２の動力で走行する機体と、機体から延出するハンドル９と、ハンドルの把持部の操作と共に把持操作することにより走行クラッチを入りにし、手を放す非把持操作することにより走行クラッチを切りにするデッドマン式走行クラッチレバー１０と、該走行クラッチレバー１０の把持操作に連動してエンジン２を設定作業回転にすると共に、該走行クラッチレバー１０の切り操作に応じて、エンジン２の回転を低速回転にし、該走行クラッチレバー１０を把持操作した時のエンジン２設定回転を変更するエンジン２作業回転変更手段とを備えるので、走行クラッチ切り時のエンジン高速回転にもとづいて燃費効率が低下するという問題を解消できるだけでなく、走行クラッチレバー１０を把持操作した時のエンジンの回転数を容易に変更することが出来、操作負担の軽減や作業効率の向上を図ることができ、また、走行クラッチレバー１０の揺動量を規制してそれ以上の増速操作、即ち、設定回転の変更を規制することによって作業効率を図ることができる。
【００１３】
また、エンジン作業回転変更手段は、ハンドル９のデッドマン式走行クラッチレバー１０近傍部位に取り付け、該クラッチレバー１０の非把持操作位置から把持操作位置までの操作量を変更可能なストッパーＳで構成したので、別途、特別な手段を用いることなく、ストッパーＳ構造を簡略化して取り付けることが出来る。
【００１４】
さらに、ストッパーＳはハンドル９に勘合回動自在で構成され外周部に複数の高さが異なる突起を有する回動体で構成し、該ストッパーＳを回動して選択した突起が、該クラッチレバー１０の把持操作時に、該クラッチレバー１０に当接してエンジン２の設定回転の変更を規制したので、ストッパーＳとクラッチレバー１０との操作フィーリングを向上させることが出来る。
【符号の説明】
【００１５】
１ 歩行型管理機
２ エンジン
９ ハンドル
９ａ 把持部
１０ デッドマン式走行クラッチレバー
【図１】
2013043457.tif 000003
【図２】
2013043457.tif 000004
【図３】
2013043457.tif 000005
【図４】
2013043457.tif 000006
【図５】
2013043457.tif 000007